(57)【要約】【課題】昇降ユニットを昇降動作させる操作部を誤操作することがないとともに、操作部を安定的に支持する天板昇降式什器を提供する。【解決手段】天板昇降式什器１００は、上面に作業面３１ｕが形成された天板３１を有する上部構造体３と、天板３１を昇降可能に支持する昇降ユニット１と、一方向へ押圧操作されることにより、昇降ユニット１を昇降動作させるための操作入力を行う操作部６５と、操作部６５を支持し、操作部６５を天板の上方に配置する操作支持部６３と、操作支持部６３が上部構造体３から一方向へ脱落することを規制する脱落規制部５０，５６と、を備えることを特徴とする。【選択図】図１
2018068936.tif 000002
【特許請求の範囲】
【請求項１】
上面に作業面が形成された天板を有する上部構造体と、
該上部構造体を昇降可能に支持する昇降ユニットと、
一方向へ押圧操作されることにより、前記昇降ユニットを昇降動作させるための操作入力を行う操作部と、
前記操作部を支持し、該操作部を前記天板の上方に配置する操作支持部と、
該操作支持部が前記上部構造体から前記一方向へ脱落することを規制する脱落規制部と、を備えることを特徴とする天板昇降式什器。
【請求項２】
前記脱落規制部は、前記操作支持部の前記一方向への傾倒を規制することを特徴とする請求項１に記載の天板昇降式什器。
【請求項３】
前記一方向は、利用者が前記天板に対向する前後方向であり、
前記脱落規制部は、前記天板から起立して、前記操作支持部の左右方向の両端部それぞれを支持することを特徴とする請求項１または２に記載の天板昇降式什器。
【請求項４】
前記操作支持部は、前記天板の上方に配置された棚板の下面から下方に垂れ下がるように設けられていることを特徴とする請求項１から３のいずれか一項に記載の天板昇降式什器。
【請求項５】
前記操作支持部の上部は、前記棚板の下面に連結されていることを特徴とする請求項４に記載の天板昇降式什器。
【請求項６】
前記操作支持部及び前記操作部は、前記棚板の前端部よりも後方に配置されていることを特徴とする請求項４または５に記載の天板昇降式什器。
【発明の詳細な説明】
【技術分野】
【０００１】
本発明は、天板昇降式什器に関する。
【背景技術】
【０００２】
執務空間においては、執務者に作業エリアを提供するためにデスクが配置されていることが一般的である。このようなデスクにおいて、作業のし易い天板高さは、執務者の体格や性別、嗜好、作業内容等によって個々によって大きく異なる。そこで、天板高さを上下に変更可能とした天板昇降式什器が知られている。
【０００３】
例えば、下記特許文献１に記載の天板昇降式什器では、天板を支持する昇降ユニットの昇降動作は、操作部を操作することにより行われる。操作部は、天板の下方、且つ天板における利用者が対向する側の端部よりも利用者側に設けられている。
【先行技術文献】
【特許文献】
【０００４】
【特許文献１】特開２０１６−８６９１４号公報
【発明の概要】
【発明が解決しようとする課題】
【０００５】
しかしながら、上記の特許文献１では、操作部が天板の下方に設けられているため、天板の高さが低い場合等には、利用者は操作部を視認することが難しい。また、操作部が天板の端部よりも利用者側に出っ張っているため、利用者の身体や他の什器が操作部に不意に触れてしまう場合がある。このように、操作部が視認しにくいこと及び身体に接触しやすい箇所に設けられていることに起因して、予期せず天板が昇降してしまう可能性がある。
また、操作部は利用者側を向く対向面を押圧することにより、昇降ユニットの昇降動作を制御する構成である場合、対向方向の押圧力により操作部が天板から外れてしまうことをより確実に抑制するための構造が望まれている。
【０００６】
本発明は、上記事情に鑑みてなされたものであり、昇降ユニットを昇降動作させる操作部を誤操作することがないとともに、操作部を安定的に支持する天板昇降式什器を提供するものである。
【課題を解決するための手段】
【０００７】
本発明は、上記課題を解決するため、以下の手段を採用する。
すなわち、本発明に係る天板昇降式什器は、上面に作業面が形成された天板を有する上部構造体と、該上部構造体を昇降可能に支持する昇降ユニットと、一方向へ押圧操作されることにより、前記昇降ユニットを昇降動作させるための操作入力を行う操作部と、前記操作部を支持し、該操作部を前記天板の上方に配置する操作支持部と、該操作支持部が前記上部構造体から前記一方向へ脱落することを規制する脱落規制部と、を備えることを特徴とする。
【０００８】
このように構成された天板昇降式什器では、昇降ユニットを昇降動作させるための操作入力を行う操作部は天板の上方に配置されているため、天板の高さに関わらず、利用者は操作部を視認しやすい。よって、利用者は操作部の位置を視認しつつ執務作業を行うことができるため、操作部を誤って操作することがない。
また、操作部を支持する操作支持部は、操作支持部が上部構造体から押圧操作される一方向へ脱落することが脱落規制部により規制されているため、操作支持部、ひいては操作支持部に支持された操作部を安定的に支持することができる。
【０００９】
また、本発明に係る天板昇降式什器では、前記脱落規制部は、前記操作支持部の前記一方向への傾倒を規制することが好ましい。
【００１０】
このように構成された天板昇降式什器では、操作支持部は脱落規制部により一方向への傾倒が規制されているため、操作支持部は安定した姿勢を保つことができる。
【００１１】
また、本発明に係る天板昇降式什器では、前記一方向は、利用者が前記天板に対向する前後方向であり、前記脱落規制部は、前記天板から起立して、前記操作支持部の左右方向の両端部それぞれを支持することが好ましい。
【００１２】
このように構成された天板昇降式什器では、操作支持部の左右方向の両端部は、天板から起立する脱落規制部により支持される。よって、操作支持部の前後方向への脱落が一層抑制される。
【００１３】
また、本発明に係る天板昇降式什器では、前記操作支持部は、前記天板の上方に配置された棚板の下面から下方に垂れ下がるように設けられていてもよい。
【００１４】
このように構成された天板昇降式什器では、操作支持部は天板の上方に配置された棚板の下面から下方に垂れ下がるように設けられているため、棚板の上面に載置された物品等が操作部に接触して、誤操作することがない。
【００１５】
また、本発明に係る天板昇降式什器では、前記操作支持部の上部は、前記天板の上方に配置された棚板に連結されていてもよい。
【００１６】
このように構成された天板昇降式什器では、操作支持部の上部は、天板の上方に配置された棚板に連結されているため、操作支持部がより安定的に天板昇降式什器に設けられる。
【００１７】
また、本発明に係る天板昇降式什器では、前記操作支持部及び前記操作部は、前記棚板の前端部よりも後方に配置されていてもよい。
【００１８】
このように構成された天板昇降式什器では、操作支持部及び操作部は棚板の前端部よりも後方に配置されているため、棚板に物品を載置したり、棚板に載置された物品を取ったりする際に、操作部を間違って操作することが一層抑制される。
【発明の効果】
【００１９】
本発明に係る天板昇降式什器によれば、昇降ユニットを昇降動作させる操作部を誤操作することがないとともに、操作部を安定的に支持することができる。
【図面の簡単な説明】
【００２０】
【図１】本発明の一実施形態に係る天板昇降式什器の全体構成を示す斜視図である。
【図２】本発明の一実施形態に係る天板昇降式什器の昇降ユニットが伸縮可能する様子を示す側面図である。
【図３】図１のＡ−Ａ断面図である。
【図４】本発明の一実施形態に係る天板昇降式什器の操作支持部及びその周辺を示す拡大図である。
【発明を実施するための形態】
【００２１】
以下、添付図面を参照して、本発明に係る天板昇降式什器を実施するための形態を説明する。しかし、本発明はこの実施形態のみに限定されるものではない。
【００２２】
図１は、本発明の一実施形態に係る天板昇降式什器の全体構成を示す斜視図である。図２は、本発明の一実施形態に係る天板昇降式什器の昇降ユニットが伸縮する様子を示す側面図である。
図１及び図２に示すように、天板昇降式デスク（天板昇降式什器）１００は、一対の脚体（昇降ユニット）１と、これら一対の脚体１間を連結する連結部材２（図３参照）と、脚体１に支持された上部構造体３と、を備えている。
以下の説明において、便宜上、利用者が天板昇降式に向かう側を「前方」と称し、反対側を「後方」と称する。また、これら前方と後方とを結ぶ前後方向（対向方向）と直交し水平方向に沿う方向を「幅方向」（左右方向）と称する。
【００２３】
脚体１は、上部構造体３の幅方向に間隔を有して配置されている。脚体１は床面Ｆ上に設置されたベース部材１１と、ベース部材１１から起立して上方に延び、上部構造体３を支持する脚部材１２と、を備えている。
【００２４】
ベース部材１１は、例えば前後方向に長い長方形状をなしている。ベース部材１１の前後両端部の下面には、それぞれアジャスター１１ａが設けられ、床面Ｆからの高さ調整が可能となっている。
【００２５】
脚部材１２は、ベース部材１１に固定された下部支持体１２ａと、下部支持体１２ａ内から上下方向に昇降可能に収容された中間支持体１２ｂと、中間支持体１２ｂ内から上下方向に昇降可能に収容された上部支持体１２ｃと、を有している。上部支持体１２ｃの上端部に上部構造体３が支持されている。
【００２６】
これら下部支持体１２ａ、中間支持体１２ｂ及び上部支持体１２ｃは、例えば四角形筒状に形成されているが、円筒状等でもよく、水平断面形状は任意の筒状でよい。下部支持体１２ａに対して中間支持体１２ｂ及び上部支持体１２ｃがそれぞれ上下方向に出没することで脚部材１２の上下方向長さを調整することができる。
【００２７】
なお、本実施形態では、下部支持体１２ａに対して中間支持体１２ｂと上部支持体１２ｃとを上下方向に出没可能に配設したが、上部構造体３を上下動させるには少なくとも下部支持体１２ａと上部支持体１２ｃとを備えていればよい。または、中間支持体１２ｂを複数設けて互いに出没可能としてもよい。
【００２８】
上部構造体３は、脚体１に支持された天板体３０と、引き出し４０と、天板体３０の幅方向の両端部に設けられた側板パネル（脱落規制部）５０と、側板パネル５０間に架設された棚板６０と、天板体３０に載置されたトレイ７０と、を有している。
【００２９】
天板体３０は、脚体１の上部支持体１２ｃ及び連結部材２の上面に支持されて設けられている。天板体３０は、上部支持体１２ｃ及び連結部材２に、溶接またはボルト等によって接合されている。天板体３０は、幅方向に長い平面視長方形状をなしている。
【００３０】
図３は、図１のＡ−Ａ断面図である。
図１及び図３に示すように、天板体３０は、水平面に沿って板状に配置された天板３１と、天板３１の前端部３１ｆの下部に設けられた下部補助部材３６と、を有している。天板３１と下部補助部材３６とは、接合され、一体とされている。図３に示すように、天板３１の上面には、水平面に沿い物品が載置可能な作業面３１ｕが形成されている。
【００３１】
下部補助部材３６は、天板３１の左右両側に設けられている。換言すると、天板３１において、左右方向の中央には、下部補助部材３６が設けられていない。下部補助部材３６が設けられていない左右方向の中央には、引き出し４０が設けられている。
【００３２】
例えば、天板３１の下面３１ｃには、引き出し４０の側板４２に沿って配置された引き出し支持部（不図示）が設けられ、当該引き出し支持部に前後方向に延びるレール（不図示）が設けられている。引き出し４０は、レールに沿って、天板３１に対して前後方向に移動可能、つまり天板３１の下方に収容された位置から、天板３１の下方から前方に突出した位置に移動可能とされている。
【００３３】
図１に示すように、天板体３０の左右方向両端部には、側板パネル５０が設けられている。側板パネル５０は、前側に配置された前側板部５１と、前側板部５１に連続して前側板部５１よりも後方に配置された後側板部５２と、を有している。前側板部５１の高さは、後側板部５２の高さよりも低い。後側板部５２の前部には、上方から下方に向かうにしたがって次第に前方に傾斜する傾斜面５２ｓが形成されている。
【００３４】
左右方向に離間して配置された側板パネル５０間には、上面が載置面とされた棚板６０が架設されている。
【００３５】
図３に示すように、棚板６０の前後方向の長さは、天板３１の前後方向の長さよりも随分短く、棚板６０は天板３１の後部寄りに配置されている。棚板６０の前端部６０ｆは、天板３１の前端部３１ｆよりも後方に配置されている。
【００３６】
例えば、棚板６０の左右両端部及び天板３１の左右両端部に設けられたダボが側板パネル５０に設けられたダボ穴に挿通されて、棚板６０及び天板３１は側板パネル５０に固定されている。
【００３７】
左右方向に離間して配置された側板パネル５０間には、前後方向及び鉛直面に沿う仕切りパネル（脱落規制部）５６が左右方向に離間して一対設けられている。仕切りパネル５６の前部には、上方から下方に向かうにしたがって次第に前方に傾斜する傾斜面５６ｓが形成されている。
【００３８】
例えば、仕切りパネル５６の下端部は、天板３１に接着等により接合されている。仕切りパネル５６の上端部に設けられたダボが棚板６０の下面６０ｂに設けられたダボ穴に挿通されて、仕切りパネル５６は棚板６０に固定されている。
【００３９】
天板３１の後端部には、背面板６６Ａが設けられている。図１に示すように、天板３１の幅方向の中央では、天板３１の後部に、目隠し板６６Ｂが設けられている。
【００４０】
側板パネル５０と仕切りパネル５６との間において、天板３１の作業面３１ｕにはトレイ７０が載置されている。
【００４１】
側板パネル５０と仕切りパネル５６との間において、棚板６０の前端部の下部には、操作支持部材（操作支持部）６３が設けられている。操作支持部材６３は棚板６０の下面６０ｂから下方に垂れ下がるように設けられている。
【００４２】
図３に示すように、操作支持部材６３は、前後方向及び鉛直方向に沿う断面視Ｌ字状に形成されている。操作支持部材６３は、棚板６０の下面６０ｂに沿って配置された上板部６３ａと、上板部６３ａの前端部から下方に折曲された前板部６３ｂと、を有している。例えば、側板パネル５０及び仕切りパネル５６に設けられたダボが操作支持部材６３の端面に設けられたダボ穴に挿通されて、操作支持部材６３は側板パネル５０と仕切りパネル５６との間に固定されている。操作支持部材６３の左右両端部は側板パネル５０及び仕切りパネル５６に支持されているため、操作支持部材６３が後傾（または前傾）することが抑制されている。なお、さらに操作支持部材６３の上板部６３ａが棚板６０の下面６０ｂに螺子や接着剤等により固定される構成であってもよい。
【００４３】
操作支持部材６３の前板部６３ｂには、後述するコンセント６４や操作部６５が設けられている。これにより、コンセント６４及び操作部６５は、天板３１よりも上方に配置されている。コンセント６４及び操作部６５は、前板部６３ｂに設けられた不図示の孔に挿通されて、螺子等で前板部６３ｂに固定されている。操作支持部材６３及び操作部６５は、棚板６０の前端部６０ｆよりも僅かに後方に配置されている。
【００４４】
さらに、天板昇降式デスク１００は、中間支持体１２ｂ及び上部支持体１２ｃを昇降動作させる駆動モータ（不図示）と、中間支持体１２ｂ及び上部支持体１２ｃの昇降動作を制御する公知の制御ユニット（不図示）と、制御ユニットに昇降動作信号を入力するための操作部６５と、を備えている。
【００４５】
制御ユニットは、例えば、天板３１の下面３１ｃに固定された配線ダクト６７（図３参照）に載置されている。制御ユニットは、操作部６５及び外部電源に配線ケーブルＣで接続されている。制御ユニットと外部電源とを接続する配線ケーブルＣは、脚部材１２に沿って配置されたカバー部材６８の内部に配置されている。
【００４６】
利用者が操作部６５に対して不図示のボタン等を後方に押圧して、所定の操作を入力すると、操作部６５から配線ケーブルを介し、制御ユニットに操作信号が送信される。制御ユニットは、操作部６５から操作信号を受信すると、受信した信号に基づいて脚部材１２に昇降動作を実行させる指令信号を出力する。各脚部材１２は、指令信号を受信すると、その指令信号に応じて、駆動モータが駆動し、中間支持体１２ｂ及び上部支持体１２ｃを昇降動作、天板体３０の高さの調整がされる。
【００４７】
このように構成された天板昇降式デスク１００では、脚体１を昇降動作させるための操作入力を行う操作部６５は天板３１の上方に配置されているため、天板３１の高さに関わらず、利用者は操作部６５を視認しやすい。よって、利用者は操作部６５の位置を視認しつつ執務作業を行うことができるため、操作部６５を誤って操作することがない。
【００４８】
また、操作支持部材６３の左右方向の両端部は、天板３１から起立する側板パネル５０及び仕切りパネル５６により支持されている。よって、操作部６５に対して押圧操作される後方への傾倒が抑制され、操作支持部材６３、ひいては操作支持部材６３に支持された操作部６５を安定的に支持することができる。特に、操作支持部材６３は前後方向及び鉛直方向に沿う断面視Ｌ字状になしていて、前板部６３ｂが後傾しやすい形状であるが、操作支持部材６３の左右両端部が側板パネル５０及び仕切りパネル５６に支持されることで、後傾することが抑制される。
【００４９】
また、操作支持部材６３は天板３１の上方に配置された棚板６０の下面６０ｂから下方に垂れ下がるように設けられているため、棚板６０の上面に載置された物品等が操作部６５に接触して、誤操作することがない。
【００５０】
また、操作支持部材６３の上部は、天板３１の上方に配置された棚板６０に連結されているため、操作支持部材６３がより安定的に天板昇降式デスク１００に設けられる。
【００５１】
また、操作支持部材６３及び操作部６５は、棚板６０の前端部６０ｆよりも後方に配置されているため、棚板６０に物品を載置したり、棚板６０に載置された物品を取ったりする際に、操作部６５を間違って操作することが一層抑制される。
【００５２】
なお、本発明の主旨を逸脱しない限り、上記実施の形態で挙げた構成を取捨選択したり、他の構成に適宜変更したりすることが可能である。
【００５３】
例えば、上記に示す実施形態では、操作支持部材６３は側板パネル５０及び仕切りパネル５６に支持されているが、本発明はこれに限られない。操作支持部材６３が天板昇降式デスク１００の幅方向の略中央に配置され、両端部を一対の仕切りパネル５６それぞれに支持される構成であってもよい。
【００５４】
例えば、脱落規制部が天板の上面や棚板の上面等から上方に一対延び、脱落規制部に操作支持部が支持される構成であってもよいが、本実施形態のように棚板６０の下方に配置されれば、天板や棚板上の執務作業などによる誤操作が抑制されるため好ましい。
【００５５】
また、棚板の前端部よりも前方に突出するように操作部が設けられていてもよいが、本実施形態のように、操作部６５が棚板６０の前端部６０ｆよりも僅かに後方に配置されることで、操作性を確保しつつ、誤操作を抑制することができる。
【００５６】
また、上記に示す実施形態では、操作支持部は脱落規制部により一方向への傾倒を規制される構成であるが、操作支持部の上部構造体からの一方向への脱落が脱落規制部により規制されていればよい。例えば、棒状に延びる操作支持部に操作部が設けられ、操作支持部の基端部が脱落規制部により支持され、押圧操作により操作支持部が所定範囲内で傾倒するが上部構造体から脱落しない構成や、所定範囲内の傾倒後初期位置に戻るように付勢されている構成であってもよい。また、上記に示す実施形態では、本実施形態では操作部の押圧操作方向は後方であるが、下方や左右側方等後方以外の方向であってもよい。
【００５７】
また、天板昇降式デスク１００は、天板３１が昇降可能であれば、例えば脚体１の構成、配置、設置本数等、他のいかなる構成としても良い。
【００５８】
また、駆動モータの構成についても、天板３１を昇降可能とするのであれば、他のいかなる構成としても良い。
【符号の説明】
【００５９】
１００…天板昇降式デスク（天板昇降式什器）
１…脚体（昇降ユニット）
３…上部構造体
１１…ベース部材
１２…脚部材
１２ａ…下部支持体
１２ｂ…中間支持体
１２ｃ…上部支持体
２…連結部材
３…上部構造体
３０…天板体
３１…天板
３１ｕ…作業面
３６…下部補助部材
４０…引き出し
５０…側板パネル（脱落規制部）
５６…仕切りパネル（脱落規制部）
６０…棚板
６０ｆ…前端部
６３…操作支持部材（操作支持部）
６５…操作部
７０…トレイ
７６…溝部
Ｅ…電子機器
Ｆ…床面
Ｓ１…物品収容空間
【図１】
2018068936.tif 000003
【図２】
2018068936.tif 000004
【図３】
2018068936.tif 000005
【図４】
2018068936.tif 000006